(57)【要約】【課題】インターネットを介してユーザに与えられるウェブページのコンテンツをユーザごとに異ならせ、各ユーザに適切な情報を与えることを企図したユーザ個別情報を提供する装置、方法およびプログラムを提供する。【解決手段】このユーザ個別情報提供装置は、コンテンツ２４ａが埋め込まれるＨＴＭＬファイル６１が用意される。ＨＴＭＬファイルは、コンテンツを埋込むコンテナ６２ａ，６２ｂを含むエリア５２ａ，５２ｂを有する。このユーザ個別情報提供装置は、表示内容の異なる複数のコンテンツ２４ａを記憶するコンテンツファイル２４と、ユーザ属性等プを識別する識別部と、識別されたユーザ属性等に基づきルール７４に従って複数のコンテンツのいずれかを選択してコンテナに埋め込む処理部７２，７３を備える。【選択図】      図４
2004326308.tif 000002
【特許請求の範囲】
【請求項１】
コンテンツが埋め込まれるＨＴＭＬファイルが用意され、このＨＴＭＬファイルをユーザのアクセスに応じてインターネットを経由してユーザ端末に送信する装置であり、
前記ＨＴＭＬファイルは、コンテンツ埋込部を含む変化領域を有し、
さらに前記装置は、
表示内容の異なる複数のコンテンツを記憶する記憶手段と、
前記ユーザのユーザ属性またはアクセス条件を識別する識別手段と、
前記識別手段で識別された前記ユーザ属性または前記アクセス条件に基づきルールに従って前記複数のコンテンツのいずれかを選択して前記コンテンツ埋込部に埋め込む処理手段と、
を備えるユーザ個別情報提供装置。
【請求項２】
コンテンツが埋め込まれるＨＴＭＬファイルをユーザのアクセスに応じてインターネットを経由してユーザ端末に送信する方法であって、
前記ＨＴＭＬファイルは、コンテンツ埋込部を含む変化領域を有しており、
前記ユーザのユーザ属性またはアクセス条件を識別するステップと、
識別された前記ユーザ属性または前記アクセス条件に基づきルールに従って前記複数のコンテンツのいずれかを選択して前記コンテンツ埋込部に埋め込むステップと、
を備えるユーザ個別情報提供方法。
【請求項３】
コンピュータで、
コンテンツが埋め込まれるＨＴＭＬファイルをユーザのアクセスに応じてインターネットを経由してユーザ端末に送信する情報提供プログラムと併せて用いられ、
前記ＨＴＭＬファイルは、コンテンツ埋込部を含む変化領域を有しており、
前記ユーザのユーザ属性またはアクセス条件を識別する第１手順と、
識別された前記ユーザ属性または前記アクセス条件に基づきルールに従って前記複数のコンテンツのいずれかを選択して前記コンテンツ埋込部に埋め込む第２手順と、
を実行させるためのユーザ個別情報提供プログラム。
【発明の詳細な説明】
【０００１】
【発明の属する技術分野】
本発明は、ユーザ個別用情報を提供する装置、方法およびプログラムに関し、特に、ウェブページでユーザに示される情報をユーザ条件等に応じたルールに基づいてユーザごとに異ならせ、ユーザに対して適切な情報を動的に提供するウェブページのソフトウェア技術に関する。
【０００２】
【従来の技術】
近年、インターネット等の電気通信技術、サーバ、ＰＣ（パーソナル・コンピュータ）等の端末装置の発展が顕著である。インターネットには大量な数のウェブサイトが接続され、インターネット上はこれらのウェブサイトによってウェブページ（ホームページまたはＨＴＭＬファイル）という形で膨大な量の情報が提供されている。ユーザ（利用者または顧客）は、インターネット接続機能を有するＰＣ等でインターネットに接続し、各種ウェブサイトにアクセスすると、種々のウェブページをダウンロードして端末装置の表示装置に表示させることができる。ユーザは、表示装置の画面を通してウェブページで提供される情報（コンテンツ）を知ることになる。
【０００３】
ウェブページは、通常は、アクセスしてくる多数のユーザのすべてに対して同じ内容で提供されるように作成されている。また作成されるウェブページは、情報を提供する表示内容部分（ＨＴＭＬ）と表示を制御する制御構造部分（プログラム）とによって構成されている。従来ではウェブページの表示内容部分と制御構造部分は非分割の一体的構造で作成されているが、近年では両者を分けてそれぞれ別々に作ることによりウェブページを作成する仕組みが提案されている（特許文献１）。このような構造で作られるウェブページでは、その表示内容部分を制御構造部分に対して独立して作成することができる。
【０００４】
【特許文献１】
特開２００１−１２５８５５号公報
【０００５】
【発明が解決しようとする課題】
上記のごとく、インターネット上で公開されるウェブページであって表示内容部分を独立して作成できるウェブページでは、表示内容部分の一部を状況に応じて自由に変えて作成することが可能になる。作成上このような性質を有するウェブページによれば、端末装置を操作してアクセスしてくる各ユーザに対して、ユーザごとの条件に基づいて用意されたルールに従ってユーザごとに個別に適切なコンテンツ（情報内容）を送信することによりユーザの興味を起こさせるように効果的な動的コンテンツを提供できることが望まれる。
【０００６】
本発明の目的は、上記課題に鑑み、インターネットを介してユーザに与えられるウェブページのコンテンツをユーザごとに異ならせ、各ユーザに適切な情報を与えることを企図したユーザ個別情報を提供する装置、方法およびプログラムを提供することにある。
【０００７】
【課題を解決するための手段】
本発明に係るユーザ個別情報を提供する装置、方法およびプログラムは、上記目的を達成するために、次のように構成される。
【０００８】
本発明に係るユーザ個別情報提供装置（請求項１に対応）は、コンテンツが埋め込まれるＨＴＭＬファイルが用意されており、このＨＴＭＬファイルをユーザのアクセスに応じてインターネットを経由してユーザ端末に送信する装置であることを前提とする。上記ＨＴＭＬファイルは、コンテンツ埋込部（コンテナ）を含む変化領域（エリア）を有している。上記ユーザ個別情報提供装置は、表示内容の異なる複数のコンテンツを記憶する記憶部と、ユーザのユーザ属性またはアクセス条件を識別する識別部と、識別部で識別されたユーザ属性またはアクセス条件に基づきルールに従って複数のコンテンツのいずれかを選択してコンテンツ埋込部に埋め込む処理部を備えている。
【０００９】
本発明に係るユーザ個別情報提供方法（請求項２に対応）は、コンテンツが埋め込まれるＨＴＭＬファイルをユーザのアクセスに応じてインターネットを経由してユーザ端末に送信する方法であって、ＨＴＭＬファイルは、コンテンツ埋込部を含む変化領域を有しており、さらに、ユーザのユーザ属性またはアクセス条件を識別するステップと、識別されたユーザ属性またはアクセス条件に基づきルールに従って複数のコンテンツのいずれかを選択してコンテンツ埋込部に埋め込むステップとを備える方法である。
【００１０】
発明に係るユーザ個別情報提供プログラム（請求項３に対応）は、コンピュータで実行され、コンテンツが埋め込まれるＨＴＭＬファイルをユーザのアクセスに応じてインターネットを経由してユーザ端末に送信する情報提供プログラムと併せて用いられる。ＨＴＭＬファイルは、コンテンツ埋込部を含む変化領域を有している。上記プログラムは、ユーザのユーザ属性またはアクセス条件を識別する第１手順と、識別されたユーザ属性またはアクセス条件に基づきルールに従って複数のコンテンツのいずれかを選択してコンテンツ埋込部に埋め込む第２手順と、をコンピュータで実行させて機能を実現される。
【００１１】
【作用】
本発明の構成によれば、ウェブサーバで、基本的な情報パターンとしてのＨＴＭＬテンプレートを用意し、当該ＨＴＭＬテンプレートは静的ＨＴＭＬ部分と動的ＨＴＭＬ部分（エリア）を有するように形成する。他方、アクセスしてきたユーザごとに各種のルールを定め、ユーザの属性やアクセス時の条件等に応じて予め設定されたルールに基づいてコンテンツを決め、当該コンテンツを上記動的ＨＴＭＬ部分に埋め込み、ユーザごとのＨＴＭＬファイルを作成し、ユーザに配信する。
【００１２】
【発明の実施の形態】
以下に、本発明の好適な実施形態を添付図面に基づいて説明する。
【００１３】
図１は、本発明に係るユーザ個別情報提供装置の適用例を概念的に示す。図１においてインターネット１１にウェブサーバ１２が接続されている。このウェブサーバ１２はウェブサイト１３を形成する。当該ウェブサイト１３は、一般的ユーザ、会員ユーザ、取引関係のあるユーザ等の様々なタイプ（属性や条件等）を有するユーザ（または顧客：個人または法人を含む）に対して、所要の情報（コンテンツ）を送信／配信して提供するサービス提供サイトである。記憶部に用意されかつユーザに対して与えられる情報は任意である。ウェブサーバ１２はコンピュータ本体１２ａと記憶部１４を備える。記憶部１４には、ユーザに対して提供される情報としてのウェブページ（コンテンツを含むＨＴＭＬファイル等）１５が記憶されており、インターネット１１上で公開可能な状態に保持されている。ウェブページ１５には、文書データ（ＨＴＭＬ文書）や画像データ等が含まれている。ウェブサーバ１２は、ユーザからの情報配信要求のアクセスを受け、ウェブページ１５を要求者の端末装置に対して送信するサーバプログラムを有している。
【００１４】
他方、インターネット１１には、一例として、複数のユーザ（顧客）１６Ａ，１６Ｂ，１６Ｃのそれぞれの端末装置（ユーザ端末）１７Ａ，１７Ｂ，１７Ｃが接続されている。端末装置１７Ａ〜１７Ｃはインターネット接続機能（ブラウザ等）を有している。端末装置１７Ａ〜１７Ｃは例えばパーソナル・コンピュータである。端末装置１７Ａ〜１７Ｃのそれぞれは、本体部１７ａと表示部（ディスプレイ）１７ｂとキーボード１７ｃとマウス１７ｄ等から構成されている。端末装置１７Ａ〜１７Ｃでは、ブラウザ等によりウェブサーバ１２にアクセスし、ウェブページ１５の情報を取り出すことができる。
【００１５】
なお図１では、３名のユーザに対して異なる符合１６Ａ，１６Ｂ，１６Ｃが付されている。この例によれば、ウェブサーバ１２側から見れば、３名のユーザ１６Ａ〜１６Ｃは、その属性等に基づき、それぞれ異なるものとして認識されていることを意味している。
【００１６】
図１では、ユーザ１６Ａ〜１６Ｃの各々が端末装置１７Ａ〜１７Ｃを操作してウェブサーバ１２にアクセスし、ウェブページ１５の情報を取り出した状態を示している。その結果、ウェブサーバ１２からインターネット１１を経由して端末装置１７Ａ〜１７Ｃのそれぞれに配信される情報１５Ａ〜１５Ｃが示されている。これらの情報１５Ａ〜１５Ｃは、ウェブページ１５を基礎にして作成されたものであり、かつ、それぞれ、ユーザ１６Ａ〜１６Ｃの属性等に対応させて異なるものとなっている。すなわち、情報１５Ａはユーザ１６Ａ用のＨＴＭＬファイルＡであり、情報１５Ｂはユーザ１６Ｂ用のＨＴＭＬファイルＢであり、情報１８Ｃはユーザ１６Ｃ用のＨＴＭＬファイルＣである。ＨＴＭＬファイルＡ、ＨＴＭＬファイルＢ、ＨＴＭＬファイルＣのそれぞれは、ウェブページ１５を利用して、ユーザごとに個別に作成されたものである。
【００１７】
上記のごとく、ウェブサーバ１２では、ユーザ１６Ａ〜１６Ｃから情報配信要求のアクセスを受けた時、ユーザごとの属性等に応じてユーザごとの異なるコンテンツを含むＨＴＭＬファイルを作成してユーザの端末装置１７Ａ〜１７Ｃに送信／配信する。このように上記ウェブサーバ１２はユーザ個別情報提供部を備えている。ウェブサーバ１２は、当該ユーザ個別情報提供部を備えることにより、複数のユーザの各々に対してユーザ専用またはユーザ固有の適した情報を提供するウェブサイトを構築している。
【００１８】
図２にユーザごとの個別情報の配信例を概念的に示す。ウェブサーバ１２にはユーザ個別情報提供部２１が設けられている。ウェブサーバ１２に対してその外部からインターネット１１を経由してユーザアクセス２２があるとする。このユーザアクセス２２にはネットワーク情報２３等が含まれている。ウェブサーバ１２内のユーザ個別情報提供部２１は、ユーザアクセス２２を受信して、ネットワーク情報２３からユーザ属性等を取り出し、当該ユーザ属性に対応するコンテンツをコンテンツファイル２４から抽出する。さらにユーザ個別情報提供部２１は、抽出されたコンテンツを基本のＨＴＭＬファイルの適宜な箇所に埋め込んでユーザごとの個別のＨＴＭＬファイル１５を作成し、アクセスしてきたユーザの端末装置に向けて送信する。図２に示されたＨＴＭＬファイル１５内の複数の領域２５は抽出されたコンテンツが埋め込まれた領域を示している。ウェブサイト１２から送信されたＨＴＭＬファイルは、前述のごとく、インターネット１１を経由して、ユーザ１６Ａ〜１６Ｃの各端末装置１７Ａ〜１７Ｃに対して符合１５Ａ〜１５Ｃで示されるようにＨＴＭＬファイルＡ、ＨＴＭＬファイルＢ、ＨＴＭＬファイルＣとして配信される。
【００１９】
図２において、符合１５Ａ’，１５Ｂ’，１５Ｃ’で示された画像は、ＨＴＭＬファイルＡ（１５Ａ）、ＨＴＭＬファイルＢ（１５Ｂ）、ＨＴＭＬファイルＣ（１５Ｃ）のそれぞれがユーザ１６Ａ〜１６Ｃの各端末装置１７Ａ〜１７Ｃに受信され、その表示部の画面に表示された画像（初期画面、フロントページ）の一例である。画像１５Ａ’，１５Ｂ’，１５Ｃ’の表示内容は互いに部分的に異なっている。この例の場合では、画像１５Ａ’は標準情報の画像であり、画像１５Ｂ’はお客様Ａ社（ユーザ１６Ｂ）のための特定の情報提供の画像であり、画像１５Ｃ’はお客様Ｂ社（ユーザ１６Ｃ）のためのメニューを追加した画像である。このように、ユーザごとで提供される情報（ＨＴＭＬファイル）が異なり、ユーザに適した情報が配信されることになる。
【００２０】
図２で示された３つの画像１５Ａ’，１５Ｂ’，１５Ｃ’において、領域３１，３２，３３等は表示内容が同一の共通表示領域であり、領域４１，４２，４３等は表示内容がユーザごとに異なる表示領域である。画像１５Ｃ’の領域４３はリンクが形成されるボタンである。
【００２１】
図３に、ユーザごとの個別のＨＴＭＬファイルまたはウェブページの作成し提供することを可能にする構造を示す。
【００２２】
コンテンツ（情報）または表示内容を状況に応じて変化させることができる構造を有したウェブページは動的ウェブページと呼ばれる。動的ウェブページは、例えば操作者の入力操作に応じてまたは自動的に表示内容が変化・変更される動的変化部または動的コンテンツを含んでいる。
【００２３】
従来ウェブページで動的コンテンツを提供しようとした場合、ＣＧＩプログラムを用いて提供する当該動的コンテンツを含むＨＴＭＬファイルを生成していた。ＣＧＩプログラムによれば、コンテンツは、提供するコンテンツを含むＨＴＭＬと、そのコンテンツを提供する制御部（プログラムにより記述される制御構造部）とが混在して形成されている。このため、提供するコンテンツを変更しようとした場合、毎回のＣＧＩプログラムを変更しなければならず、手間も人手もかかっていた。またコンテンツを含むＨＴＭＬ部分と制御部分との分離が難しいため、ＣＧＩプログラムとＨＴＭＬの両方の知識を持っていないと変更できず、そのため作業分担ができず、効率的な作業ができなかった。
【００２４】
これに対して、この実施形態に係るウェブサーバ１２に設けられた仕組みでは、ウェブページ（ＨＴＭＬファイル）１５においてコンテンツを含むＨＴＭＬ部分１５ａと、制御部分１５ｂとが分離できる構造を有している。その結果、ウェブページ１５のコンテンツを簡単に変更することができ、分業で効率よく作業を行うことができる。
【００２５】
さらに本実施形態では、ウェブページ１５でコンテンツを提供しようとした場合、ユーザに送信されるＨＴＭＬファイルとして、予め静的な（内容が変化しない）ＨＴＭＬ部分５１と、予め動的な（内容が変化する）ＨＴＭＬ部分５２とが定義されることによりＨＴＭＬテンプレート６１が作成される。すなわち、ＨＴＭＬテンプレート６１には、静的なＨＴＭＬ部分５１と、動的なＨＴＭＬ部分５２とが存在する。ＨＴＭＬテンプレート６１は、静的ＨＴＭＬ部分の領域と動的ＨＴＭＬ部分の領域を含むＨＴＭＬファイル生成の元となるファイルである。
【００２６】
動的なＨＴＭＬ部分５２は、コンテンツが埋め込まれる領域であり、かつ当該コンテンツを任意に変更できる領域である。動的なＨＴＭＬ部分５２は、図２に示した領域２５に相当するものであり、ここでは「エリア」と呼ぶ。エリア５２は、ＨＴＭＬを作成する側から見ると、ＨＴＭＬテンプレート６１を作成する場合にはこのエリア５２を意識すればよい。エリア５２には、提供するコンテンツが生成されかつ埋め込まれるコンテナ６２が配置されている。当該コンテナ６２は、エリア５２に配置されたシステムが理解できる領域である。コンテナ６２は、ユーザが端末装置を操作して情報送信要求のアクセスを行ってきた際に、これに応じて送信するＨＴＭＬテンプレート６１において、ユーザの属性等に応じて、予め設定したルールで選択されたコンテンツが埋め込まれる領域である。コンテナ６２には、色々な種類が存在し、提供するコンテンツのレイアウトを考慮しないものや、考慮するものなどが存在する。さらに、埋め込まれるコンテンツは、テキストやイメージなどのＨＴＭＬで扱えるものはすべて取り扱うことができる。
【００２７】
次に図４に従ってユーザ個別情報提供部２１の構成を説明する。ユーザ１６は端末装置１７を操作してウェブサーバ１２に対して情報配信要求のアクセス７１を行う。当該アクセス７１はユーザ個別情報提供部２１のＨＴＭＬテンプレートプロセッサ７２に受信される。ＨＴＭＬテンプレートプロセッサ７２はＨＴＭＬテンプレートを解釈し、コンテナを見つけるための作業を行う機能を有する。ＨＴＭＬテンプレートプロセッサ７２は、まず記憶部に用意された基本的なＨＴＭＬテンプレート６１を選択・解釈すると共に、アクセス７１に含まれるユーザ情報に基づきユーザ属性に係る情報を取得する。このユーザ属性はルールプロセッサ７３に送られる。ルールプロセッサ７３は、ユーザ属性に基づき、定義されているルールを解釈してユーザ１６に対して提供すべきコンテンツを決定する機能を有している。その結果、ルールプロセッサ７３は、ユーザ１６の属性を解釈しルール記憶部７４からユーザ１６に適切なルールを取り出す。ここで「ルール」とは、ユーザの属性ごとにどのコンテンツを提供するかを決めるための定義を意味する。ルールの例は、具体的には、「ドメイン名（会社、業種、国）」、「ホスト名」、「ＩＰアドレス」、「地域（現状では、特定の場合のみに分る）」、「使用ウェブブラウザ」、「移動手段」、「ユーザＩＤ」およびこれに関連する「性別、年齢、地域、嗜好等のいずれか」である。これらのルールを単独または組合せて利用する。ルールプロセッサ７３は、取り出したルールに基づいて、コンテンツファイル２４から対応する少なくとも１つのコンテンツ２４ａを決定する。決定されたコンテンツ２４ａは、それぞれ、ＨＴＭＬテンプレート６１の例えば２つのエリア５１ａ，５１ｂのコンテナ６２ａ，６２ｂの対応する箇所に埋め込まれる。
【００２８】
ＨＴＭＬテンプレート６１を基礎にして作成されたユーザ１６にとって固有のＨＴＭＬファイル１５’は、その後、インターネット１１を経由してユーザ１６の端末装置１７に送信され、その表示部の画面に表示されることになる。ユーザに送られる情報すなわちＨＴＭＬファイル１５’は、前述したように、ユーザ１６Ａ〜１６Ｃのそれぞれに応じて異なった内容（１５Ａ，１５Ｂ，１５Ｃ）で送られる。
【００２９】
上記のユーザ個別情報提供部２１等に関係する処理手順を箇条書きで示すと、次の通りである。
【００３０】
（１）ウェブサーバ１２で用意されたウェブページ１５のＨＴＭＬテンプレート６１に対して、端末装置１７を操作してユーザ１６がアクセスする。
（２）ＨＴＭＬテンプレート６１はＨＴＭＬテンプレートプロセッサ７２により解釈され、そのエリア５２ａ，５２ｂに配置されたコンテナ６２ａ，６２ｂの存在が解釈される。
（３）コンテナ６２ａ，６２ｂに埋め込まれるコンテンツ２４ａがユーザ１６の属性に従ってルールプロセッサ７３により決定される。
（４）決定されたコンテンツ２４ａがコンテナ６２ａ，６２ｂに配置され、エリア５２ａ，５２ｂに埋め込まれる。
（５）ＨＴＭＬテンプレート６１が、コンテンツ２４ａが埋め込まれたＨＴＭＬファイル１５’となり、このＨＴＭＬファイル１５’がユーザ１６に送信され、端末装置１７に表示される。
【００３１】
図５に上記のユーザ個別情報提供部２１の機能ブロック図を示す。図５によれば、アクセス７１はアクセス受信部８１で受信され、その内容はＨＴＭＬテンプレート解釈部８２と識別部８３に送られる。ＨＴＭＬテンプレート解釈部８２はＨＴＭＬテンプレートプロセッサ８２で実現され、ＨＴＭＬテンプレート６１を解釈する。識別部８３はユーザ属性を識別し、その情報を取り出す。ユーザ属性情報は処理部８４のコンテンツ取出し部８５に送られる。コンテンツ取出し部８５は複数のコンテンツを記憶する記憶部８６（コンテンツファイル２４に相当）から対応するコンテンツを取り出す。取り出されたコンテンツはＨＴＭＬファイル作成部８７に送られる。ＨＴＭＬファイル作成部８７にはＨＴＭＬテンプレート解釈部８２からＨＴＭＬテンプレートが提供されている。ＨＴＭＬファイル作成部８７では、ＨＴＭＬテンプレートのコンテナの中に取り出したコンテンツが埋め込まれ、これによりＨＴＭＬファイルが作成される。作成されたＨＴＭＬファイルはＨＴＭＬファイル送信部８８からユーザに向けて送信される。
【００３２】
前述の実施形態では、ユーザ属性に基づきルールを決めていたが、ルールはこれに限定されない。例えば、ユーザがアクセスしてきた時、その時の環境に関するルールを設定することもできる。環境に関するルールの例としては「時間・時刻・午前・午後など」、「曜日」、「月」、「期間（例えばゴールデンウィークの期間）」、「天候」等である。このようなルールを単独または組合せで用いることにより、配信すべきコンテンツを定めることができる。
【００３３】
本発明に係る技術的思想はプログラムで実現され、当該プログラムは記憶媒体で記憶されて使用・管理・流通されるものである。
【００３４】
【発明の効果】
以上の説明で明らかなように本発明によれば、多数のユーザがＰＣ等を操作してインターネットを介してウェブサーバに情報配信要求のアクセスを行った時、ウェブサーバでは、動的ＨＴＭＬ部分を含むＨＴＭＬテンプレートを用意し、かつユーザの属性等を識別して当該属性に応じたルールに従ってコンテンツを定め動的ＨＴＭＬ部分に埋め込んで配信すべきＨＴＭＬファイルを作成したため、ユーザごとに異なる個別の情報を提供することができ、ユーザに適切な情報を提供することができる。
【図面の簡単な説明】
【図１】本発明に係るユーザ個別情報提供装置の適用例を概念的に示す全体構成図である。
【図２】３名のユーザ（顧客）の各々ごとに異なる情報内容が表示される３例の表示例（ＨＴＭＬファイルの内容）を示す図である。
【図３】ユーザごとの個別のウェブページ（ＨＴＭＬファイル）の作成・提供を可能にするファイル構造を概念的に示すブロック図である。
【図４】各ユーザに対して個別の適切な情報を提供するためユーザごとのＨＴＭＬファイルを提供するユーザ個別情報提供部の内部構成を示すブロック図である。
【図５】ユーザ個別情報提供部の機能の一例を示す機能ブロック図である。
【符号の説明】
１１              インターネット
１２              ウェブサーバ
１３              ウェブサイト
１４              記憶部
１５              ウェブページ（ＨＴＭＬファイル）
１５Ａ〜１５Ｃ    ウェブページ（ＨＴＭＬファイル）
１６              ユーザ
１６Ａ〜１６Ｃ    ユーザ
１７              端末装置（ユーザ端末）
１７Ａ〜１７Ｃ    端末装置（ユーザ端末）
６１              ＨＴＭＬテンプレート
７２              ＨＴＭＬテンプレートプロセッサ
７３              ルールプロセッサ
【図１】
2004326308.tif 000003
【図２】
2004326308.tif 000004
【図３】
2004326308.tif 000005
【図４】
2004326308.tif 000006
【図５】
2004326308.tif 000007